(57)【要約】  本発明は、軍事あるいは土木施設を武器による攻撃、あるいは、例えば洪水、溶岩流、地崩れ、不安定な土壌、傾斜地の浸食などの自然力から保護するために使用する回収可能な蛇籠（１）に関するものである。蛇籠（１）は複数の仕切り壁（４，５，６）によって間隔をおいて相互に接続された複数の側壁要素（１４，１５）からなる対向する側壁（２，３）を含み、隣接する対の仕切り壁の間の空間が前記側壁と共に蛇籠の個々の区画室（７，８，９）を画成し、隣接する側壁と仕切り壁とが蛇籠を完全に平坦にされた形態と展開配備された形態との間で折り畳むことができるように枢動可能な接続部（４１）によって相互に接続されており、少なくとも１個の前記枢動可能な接続部（４３）が解除可能な接続部であって、解除されると側壁要素を蛇籠に対して開放させ、前記蛇籠の側方から前記蛇籠の区画室の何らかの内容物に接近できるようにする。
2010508452.tif 000002
【特許請求の範囲】
【請求項１】
複数の仕切り壁によって間隔をおいて相互に接続された複数の側壁要素からなる対向する側壁を含み、隣接する対の仕切り壁の間の空間が前記側壁と共に蛇籠の個々の区画室を画成する蛇籠であって、隣接する側壁と仕切り壁とが前記蛇籠を完全に平たくされた形態と展開配備された形態との間で折り畳まれうるようにするために枢動可能な接続部によって相互に接続されている蛇籠において、前記枢動可能な接続部の少なくとも１個が解除可能な接続部であって、解除されると側壁要素を前記蛇籠に対して開放できるようにして前記蛇籠の側部から該蛇籠の区画室内の何らかの内容物に接近できるようにする解除可能な接続部であることを特徴とする蛇籠。
【請求項２】
前記解除可能な接続部が接続すべき各々の隣接する壁の縁部に関連したヒンジ部材からなることを特徴とする請求項１に記載の蛇籠。
【請求項３】
接続された壁および（または）壁要素の間の枢動可能な接続部が相互接続された壁および（または）壁要素にその相互接続縁部に沿って一列の開口を設けることにより、かつ前記相互接続された縁部に沿っての複数の開口にらせん状に通されたコイル部材を設けることによって達成されることを特徴とする請求項１または請求項２に記載の蛇籠。
【請求項４】
２個以上の隣接する壁、壁区画部分および（または）壁要素の接続縁部にある開口に単一のコイル部材がらせん状に通されてそれらの間の枢動可能な相互接続部を達成することを特徴とする請求項３に記載の蛇籠。
【請求項５】
各ヒンジ部材がコイルばねであることを特徴とする請求項２から４までのいずれか１項に記載の蛇籠。
【請求項６】
各解除可能な接続部が各枢動可能な接続部のヒンジ部材を相互に解除可能に固定する解除可能なロッキング部材からなることを特徴とする請求項２から５までのいずれか１項に記載の蛇籠。
【請求項７】
前記枢動可能な接続部が前記蛇籠を収納あるいは搬送のために手風琴のように折り畳むことができるようにすることを特徴とする請求項１から６までのいずれか１項に記載の蛇籠。
【請求項８】
前記枢動可能な接続部が前記蛇籠の隣接する壁を複数の枢動軸線の周りで折り畳みできるようにすることを特徴とする請求項７に記載の蛇籠。
【請求項９】
前記枢動軸線が、前記蛇籠が折り畳まれた形態にあるとき隣接する壁が対面して位置できるように離隔されていることを特徴とする請求項８に記載の蛇籠。
【請求項１０】
前記ロッキング部材を解除することによって第一の隣接する側壁要素が第二の隣接する側壁要素から外れうるようにすることを特徴とする請求項６から９までのいずれか１項に記載の蛇籠。
【請求項１１】
前記ロッキング部材を解除することによって第一の側壁要素が（対向する隣接の側壁要素との枢動可能な接続によって）第一の隣接する側壁要素によって限界を画された蛇籠の区画室に対して枢動して前記蛇籠の側壁を通して前記区画室を開放して、前記区画室の何らかの内容物に接近できるようにすることを特徴とする請求項６から１０までのいずれか１項に記載の蛇籠。
【請求項１２】
接続された前記側壁要素間の枢動可能な接続部が解除可能であり、かつ前記接続された側壁要素にその相互接続縁部に沿って一列の開口を設けることによって、かつ第一の側壁要素の相互接続縁部に沿った複数の開口にらせん状に通された第一のコイル部材と、（相互接続縁部に沿って前記第一の側壁要素に接続された）第二の側壁要素の相互接続縁部に沿った複数の開口にらせん状に通された第二のコイル部材と、重ねられた前記第一と第二のコイル部材に通された解除可能なロッキング部材とを設けることによって達成されることを特徴とする請求項１から１１までのいずれか１項に記載の蛇籠。
【請求項１３】
各側壁区画部分が単一の側壁要素からなることを特徴とする請求項１から１２までのいずれか１項に記載の蛇籠。
【請求項１４】
隣接する側壁要素間の解除可能な相互接続部が前記の隣接する側壁区画部分の間に位置していることを特徴とする請求項１３に記載の蛇籠。
【請求項１５】
隣接する側壁要素と、対応する側壁区画部分との間の境界を画する仕切り壁との間の解除可能な相互接続部は、第一の隣接する側壁要素が第二の隣接する側壁要素および仕切り壁の双方から解除できるようにするために開放可能であることを特徴とする請求項１４に記載の蛇籠。
【請求項１６】
各側壁区画部分が複数の側壁要素からなることを特徴とする請求項１から１２までのいずれか１項に記載の蛇籠。
【請求項１７】
解除可能な相互接続部が所定の側壁区画部分の隣接する側壁要素の間に設けられていることを特徴とする請求項１６に記載の蛇籠。
【請求項１８】
少なくとも複数の隣接する側壁要素の間の解除可能な相互接続部が該側壁要素の間のヒンジ部材と前記ヒンジ部材と協働して前記接続部を解除可能に固定する解除可能なロッキング部材とによって提供されることを特徴とする請求項１から１７までのいずれか１項に記載の蛇籠。
【請求項１９】
各々の隣接する側壁要素の間の解除可能な相互接続部が該側壁要素の間のヒンジ部材と前記ヒンジ部材と協働して前記接続部を解除可能に固定する解除可能なロッキング部材とによって提供されることを特徴とする請求項１８に記載の蛇籠。
【請求項２０】
第一のヒンジ部材が第一の側壁要素に設けられ、第二のヒンジ部材が第二の隣接する側壁要素に設けられていることを特徴とする請求項１８または１９に記載の蛇籠。
【請求項２１】
前記解除可能なロッキング部材が第一と第二のヒンジ部材の双方と協働して前記接続部を解除可能に固定することを特徴とする請求項２０に記載の蛇籠。
【請求項２２】
前記側壁を通して開放可能である少なくとも複数の区画室を含むことを特徴とする請求項１から２１までのいずれか１項に記載の蛇籠。
【請求項２３】
折り畳まれた蛇籠を展開配備現場まで搬送すること、蛇籠の折り畳みを開くこと、および前記蛇籠の個々の区画室に充填材を充填することからなることを特徴とする請求項１から２２までのいずれか１項に記載の蛇籠を展開配備する方法。
【請求項２４】
前記充填材が砂、土、土壌、石、岩石、瓦礫、コンクリート、破片、雪、氷およびそれらの二つ以上を組み合わせたものから選択されることを特徴とする請求項２３に記載の方法。
【請求項２５】
前記蛇籠の開放可能な側壁区画部分の全てを開放すること、前記区画室から充填材を少なくとも部分的に取り出すこと、および前記蛇籠を現場から取り除くことからなる請求項１から２２までのいずれか１項に記載の蛇籠を回収する方法。
【請求項２６】
武器による攻撃あるいは自然力に対する障壁として請求項１から２２までのいずれか１項に記載の蛇籠を使用すること。
【発明の詳細な説明】
【技術分野】
【０００１】
本発明は蛇籠に関し、特に使用後回収可能である多数の区画室を備えた蛇籠に関するものである。
【背景技術】
【０００２】
蛇籠は武器による攻撃、あるいは、例えば洪水、溶岩流、地崩れ、傾斜地の侵食、不安定な土壌などから軍事施設あるいは土木施設を保護するために使用される一時的あるいは半永久的な要塞構造物である。
【０００３】
国際特許公開第９０／１２１６０号は蛇籠として有用である網目の籠構造体を開示している。前記籠構造体は工場での状態においては相互に接続されていて枢動可能に相互接続され開放した網細工の枠組みから構成されており、設置現場まで搬送するために平坦な形を取りうるように前記籠が手風琴のように折り畳むことが可能であり、設置現場において例えば砂、土壌、土あるいは岩石のような適当な充填材料で充填するように開放した多数の区画室の形をとるように組み立てることができる
【０００４】
国際特許公開第００／４０８１０号もまた、搬送のために手風琴のように折り畳まれる多数の区画室を備えた蛇籠であって、前記の多数の区画室を備えた蛇籠の長さに亘って延在する側壁を含んでおり、前記側壁は２個の解除可能に接続された区画部分から形成される仕切り壁によって前記蛇籠の長さに亘って間隔をおいて接続されており、該区画部分は前記蛇籠の使用後解除可能であり、回収のために蛇籠が分解できるような多数の区画室を備えた蛇籠に関するものである。
【０００５】
既存の蛇籠はその回収性に関してある欠点を有している。例えば、そのような蛇籠を回収するには時間がかかり、難儀であり、危険であり、非実用的で、蛇籠の材質に損傷を加え、その再利用を妨げるとか、あるいは断念するとか、あるいはこれらの二つ以上の欠点を複合させうる。
【発明の開示】
【発明が解決しようとする課題】
【０００６】
従って、改良された回収可能な蛇籠が必要とされる。改良された多数の区画室を備え、回収可能な蛇籠が必要とされている。
【課題を解決するための手段】
【０００７】
従って、本発明は複数の仕切り壁によって間隔をおいて相互に接続されている複数の側壁要素からなる対向する側壁を含み、隣接する対の仕切り壁の間の空間が前記側壁と共に蛇籠の個々の区画室を画成し、隣接する側壁および仕切り壁が枢動可能な接続部によって相互に接続され、完全に平坦にされた形態と展開配備された形態との間で蛇籠を折り畳みができるようにしており、前記の枢動可能な接続部の中の少なくとも１個が、解除されると側壁要素を蛇籠に対して開放させ、蛇籠の側方から蛇籠の区画室内の何らかの内容物に接近できるようにする解除可能な接続手段であるような蛇籠を提供する。
【０００８】
前記の解除可能な接続部は接続すべき各々の隣接する壁の縁部に関連したヒンジ部材からなることが好ましい。
【０００９】
接続された壁および（または）壁要素の間の枢動可能な相互接続部は、相互に接続された壁および（または）壁要素にその相互接続縁部に沿って一列の開口を設けることによって、かつ相互接続縁部に亘って複数の開口にらせん状に通されたコイル部材を設けることによって達成することができる。各ヒンジ部材はコイルばねであることが好ましい。
【００１０】
各解除可能な接続部は各枢動可能な接続部のヒンジ部材を相互に解除可能に固定する解除可能なロッキング部材からなることが好ましい。枢動可能な接続部は、例えば蛇籠の隣接する壁を複数の枢動軸線の周りで折り畳むことによって収納あるいは搬送のために手風琴のように蛇籠を折り畳めるようにすることが理想的である。詳しくは、枢動軸線は蛇籠が折り畳み形態にあるとき隣接する壁が対面して位置しうるように離隔させればよい。
【００１１】
接続された側壁要素の間の枢動可能な相互接続部は、相互接続縁部に亘って一列の開口を相互接続された側壁要素に設けることによって、かつ第一の側壁要素の相互接続縁部に亘って複数の開口にらせん状に通された第一のコイル部材と、（相互接続縁部に亘って第一の側壁要素に接続された）第二の側壁要素の相互接続縁部に亘って複数の開口にらせん状に通された第二のコイル部材と、重ねられた前記第一と第二のコイル部材に通された解除可能なロッキング部材とを設けることによって解除可能とされることが好ましい。
【００１２】
本発明によれば、複数の仕切り壁によって蛇籠の長さに亘って間隔をおいて相互に接続された対向する側壁を含む多数の区画室を備えた蛇籠であって、少なくとも一方の側壁が、解除されると側壁要素が蛇籠に対して開放して前記蛇籠の側方から該蛇籠の区画室内の何らかの内容物に接近できるようにする解除可能な相互接続部を有する複数の側壁要素からなる多数の区画室を備えた蛇籠が提供される。
【００１３】
本発明によれば、蛇籠の長さに亘って間隔をおいて複数の仕切り壁によって相互に接続された対向する側壁を含む多数の区画室を備えた蛇籠であって、隣接する対の前記仕切り壁の間の空間が前記側壁と共に多数の区画室を備えた蛇籠の個々の区画室を画成し、前記蛇籠の個々の区画室がそれぞれの対向する側壁の対向する側壁区画部分によって境界を画され、前記仕切り壁が前記側壁に枢動可能に接続されており、個々の区画室の前記側壁区画部分が少なくとも１個の側壁要素からなり、前記枢動可能な接続部が隣接する前記側壁要素の間で設けられることによって多数の区画室を備えた蛇籠が収納あるいは搬送のために手風琴のように折り畳むことができるようにし、少なくとも２個の隣接する側壁要素の間の枢動可能な接続部が隣接する側壁要素の一方あるいは双方に設けられたヒンジ部材によって、かつ前記ヒンジ部材と協働することにより前記の枢動可能な接続部を解除可能に固定する解除可能なロッキング部材とによって提供されることによって、前記ロッキング部材を解除することによって第一の隣接する側壁要素を第二の隣接する側壁要素から取り外しうるようにし、第一の側壁要素に対してはそれにより（対向する隣接する側壁要素に対する枢動可能な接続部によって）第一の隣接する側壁要素によって境界を画された蛇籠の区画室に対して枢動できるようにし蛇籠の側壁を通して前記区画室を開放し、前記区画室にある何らかの内容物に対して接近できるようにする多数の区画室を備えた蛇籠が提供される。
【００１４】
本発明による多数の区画室を備えた蛇籠は該蛇籠の長さに亘って少なくとも１個の開放可能な側壁区画部分を設けることによって前記蛇籠を展開配備した後の回収をし易くする。複数の開放可能な側壁区画部分が設けられることが好ましい。２個以上の区画室を有する蛇籠において該蛇籠の端にあるものを除いて側壁区画部分の全てが開放可能であることがより好ましい。前記蛇籠の長さに亘る全ての側壁区画部分が開放可能であることが最も好ましい。「開放可能」ということは側壁区画部分の接続された側壁要素の間の枢動可能な接続部が接続された側壁要素の一方あるいは双方に設けられたヒンジ部材によって、かつ前記ヒンジ部材と協働してその間の枢動可能な接続部を解除可能に固定する解除可能なロッキング部材とによって提供されることを意味する。本発明のある好適実施例においては、第一のヒンジ部材は第一の隣接する側壁要素に設けられ、第二のヒンジ部材は第二の隣接する側壁要素に設けられ、解除可能なロッキング部材は枢動可能な接続部を解除可能に固定するために前記第一のヒンジ部材と第二のヒンジ部材の双方と協働する。開放可能な側壁区画部分を開放することは前記ロッキング部材を解除し、その結果の接続を外された側壁要素を引っ張って離すことによって達成される。
【００１５】
各側壁区画部分は単一の側壁要素からなるようにしうるが、その場合隣接する側壁要素の間の開放可能な枢動接続部は隣接する側壁区画部分の間に位置することになる。この場合、隣接する側壁要素と、対応する隣接する側壁区画部分間の境界を画する仕切り壁との間の枢動接続部はまた、第一の隣接する側壁要素が第二の隣接する側壁要素および仕切り壁の双方から解除されるように開放可能である。代替的に各側壁区画部分は複数の側壁要素から構成してもよく、その場合所定の側壁区画部分の隣接する側壁要素の間に開放可能な枢動接続部を設ければよい。しかしながら、側壁区画部分がたとえ複数の側壁要素からなる場合であっても、隣接する側壁区画部分の間に、あるいはその代わりに所定の側壁区画部分の隣接する側壁要素の間に開放可能な枢動接続部を設けてもよい。複数の側壁区画部分からなる多数の区画室を備えた蛇籠であって、色々な数の側壁要素が別々の側壁区画部分を構成する蛇籠も考えられる。
【００１６】
本発明による蛇籠を展開配備するには一般的に、折り畳んだ蛇籠を配備箇所まで搬送し、蛇籠の折り畳みを開き、該蛇籠の各区画室に充填材料で充填することによって実行される。一般的に、充填材料は展開配備箇所における適当な材料の入手可能性によって少なくとも部分的に決まる。適当な充填材料は限定的ではないが、砂、土、土壌、石、岩石、瓦礫、コンクリート、破片、雪、氷、およびそれらの二つ以上を組み合わせたものを含む。
【００１７】
蛇籠の側壁区画部分を開放することが望ましいことには多数の理由がある。例えば展開配備された蛇籠が任務終了で閉じるべき場合には環境上あるいは美観上の理由から、あるいは単に地域の住民のことを配慮して該蛇籠を回収することが望ましいことがよくある。本発明による蛇籠の回収は該蛇籠の開放可能な側壁区画部分を全て開放し、少なくとも部分的に区画室から充填材料を取り出し、蛇籠を配備箇所から撤去することによって促進される。
【００１８】
別の例として、もしも展開配備された蛇籠が使用中に損傷したとすれば、該蛇籠の損傷した部分を取り替え、あるいは修理することが望ましい。このことは損傷した部分の開放可能な側壁を介して接近することによってし易くなる。同様に、損傷とは無関係の理由から（例えば、蛇籠の位置あるいは方向の変更が必要であるとして）蛇籠の区画部分を動かしたり、変更したり、あるいは取り替えることが望ましい場合、そのような取替えもまた、選択された蛇籠の区画部分から充填材料を意のままに取り出すことができれば促進される。
【００１９】
本発明は少なくとも１個の開放可能な側壁区画部分が存在していること、および好ましくは複数の開放可能な側壁区画部分が存在することを特徴とするものであるが、蛇籠の個々の区画室に、（蛇籠が２個以上の区画室を有している場合）任意に蛇籠の端の区画室を除いて開放可能な側壁区画部分を設けることが望ましいことが多い。従って、本発明によれば、前述した多数の区画室を備えた蛇籠であって、各側壁区画部分の接続された側壁要素の間の、あるいは任意に端の側壁区画部分を除いて各隣接の側壁区画部分の間にある枢動可能な接続部が所定の側壁区画部分の第一の側壁要素と所定の、あるいは隣接する側壁区画部分の第二の隣接する側壁要素との間に設けられたヒンジ部材と前記枢動可能な接続部を解除可能に固定するように前記ヒンジ部材と協働する解除可能なロッキング部材とによって提供されるような蛇籠が提供される。第一のヒンジ部材は第一の隣接する側壁要素に設けられ、第二のヒンジ部材が第二の隣接する側壁要素に設けられ、解除可能なロッキング部材が前記の第一と第二の双方のヒンジ部材と協働して枢動可能な接続部を解除可能に固定することが好ましい。
【００２０】
更に、多数の区画室を備えた蛇籠が本発明によるものであっても、もしも複数の開放可能な側壁区画部分が一方の側壁に設けられるのであれば、開放可能な側壁区画部分を個々の区画室の両側の側壁区画部分に設けて両側から充填材料に接近できるようにしてもよいことも考えられる。従って、本発明は前述したような多数の区画室を備えた蛇籠であって、少なくとも複数の対向する側壁区画部分の接続された側壁要素の間の枢動可能な接続部が、所定の側壁区画部分の第一の側壁要素と前記所定の、あるいは隣接する側壁区画部分の隣接する第二の側壁要素との間に設けられたヒンジ部材によって、かつ前記の枢動可能な接続部を解除可能に固定するように前記ヒンジ部材と協働する解除可能なロッキング部材とによって提供されるような蛇籠を提供する。また、本発明の範囲内において、前述したような多数の区画室を備えた蛇籠であって、少なくとも複数の対向する側壁区画部分の接続された側壁要素の間の枢動可能な接続部が所定の側壁区画部分の第一の側壁要素に設けられた第一のヒンジ部材と、前記の所定の、あるいは隣接する側壁区画部分の第二の側壁要素に設けられた第二のヒンジ部材と、第一のヒンジ部材を第二のヒンジ部材に接続する解除可能はロッキング部材とによって提供されるような蛇籠も考えられる。
【００２１】
また、開放可能な側壁区画部分を蛇籠の長さの少なくとも一部に亘って第一と第二の対向する側壁において交互に設けうることも考えられる。このように、蛇籠が回収されつつあるとき、隣接する区画室から同時に、あるいは同時掘削が安全上あるいはその他の理由から望ましくない場合は順番に迅速に、充填材料を取り出すために協働している掘削設備あるいは作業員を蛇籠の両側に配備させることができる。従って、本発明は前述したような多数の区画室を備えた蛇籠であって、蛇籠の長さの少なくとも一部に亘って交互に対向する側壁に互い違いに設けられた少なくとも複数の側壁区画部分の接続された側壁要素の間の枢動可能な接続部が所定の側壁区画部分の第一の側壁要素と前記所定の、あるいは隣接する側壁区画部分の第二の隣接する側壁要素との間に設けられたヒンジ部材と、前記枢動可能な接続部を解除可能に固定するように前記ヒンジ部材と協働する解除可能なロッキング部材とによって提供されるような蛇籠を提供する。また、本発明の範囲内において、前述したような多数の区画室を備えた蛇籠であって、該蛇籠の長さの少なくとも一部に亘って交互に対向する側壁において互い違いに設けられた少なくとも複数の側壁区画部分の接続された側壁要素の間の枢動可能な接続部が所定の側壁区画部分の第一の側壁要素に設けられた第一のヒンジ部材によって、かつ前記所定の側壁区画部分の第二の側壁要素に設けられた第二のヒンジ部材によって、そして前記第一のヒンジ部材を第二のヒンジ部材に接続する解除可能なロッキング部材によって提供されるような蛇籠も考えられる。
【００２２】
側壁区画部分は単一の壁要素あるいは２個の壁要素からなることが好ましい。しかしながら、所望すれば、１個の側壁区画部分、複数の側壁区画部分あるいは各側壁区画分は２個以上の側壁要素から構成してもよい。この場合、枢動可能な接続部は各側壁要素の間に設けることが好ましい。従って、本発明は前述したような多数の区画室を備えた蛇籠であって、１個以上の側壁区画部分が単一の側壁要素からなる蛇籠を提供する。本発明はまた、前述したような多数の区画室を備えた蛇籠であって、１個以上の側壁区画部分が相互に枢動可能に接続された（好ましくは、開放可能で枢動可能に相互に接続された）２個の側壁要素からなる蛇籠を提供する。また、本発明の範囲内において、前述したような多数の区画室を備えた蛇籠であって、１個以上の側壁区画部分が２個以上の側壁要素からなり、各々の隣接する対の側壁要素の間に枢動可能な相互接続部が設けられている蛇籠も考えられる。
【００２３】
本発明による多数の区画室を備えた蛇籠は複数の接続された区画室であって、各区画室が両端において一対の対向した仕切壁によって境界が画され、両側において一対の対向する側壁区画分によって境界が画されており、各側壁区画部分が１個の側壁要素からなる区画室を含む。多数の区画室を備えた蛇籠の少なくとも１個、２個、３個、あるいはそれ以上の個々の区画室において、少なくとも１個のそのような側壁要素は開放可能であるように配置されており、その開放のための機構は前記区画室に充填材料が詰め込まれたときに作動可能とされている。
【００２４】
蛇籠を手風琴のように折り畳むには側壁区画部分を該蛇籠の中心の長手方向軸線に向かって折り込むか、あるいは側壁区画部分を蛇籠の中心の長手方向軸線から離れる方向に広げることによって実行しうる。前者の方法は、その結果折り畳まれた蛇籠が該蛇籠の中心の長手方向軸線に対して直交する平面における断面積が相対的に小さいので一般に好ましいものである。
【００２５】
本発明の一好適実施例においては、接続された壁、および（または）壁区画部分、および（または）壁要素の間の枢動可能な相互接続部が、相互に接続された壁、壁区画部分および（または）壁要素にそれらの相互接続縁部に沿って一列の開口を設けることにより、かつ前記の相互接続縁部に沿った複数の開口にらせん状に通したコイル部材を設けることによって達成される。直線の（すなわち、非開放可能な）枢動可能な接続の場合、２個（あるいはそれ以上）の隣接する壁、壁区画部分および（または）壁要素の接続縁部の開口に単一のコイル部材をらせん状に通してそれらの間の相互接続を達成することができる。従って、本発明によれば、前述したような多数の区画室を備えた蛇籠であって、接続された壁、壁区画部分あるいは壁要素の接続縁部の開口にらせん状に通されたコイル部材が存在することによって少なくとも１個の枢動可能な接続部が提供されるような蛇籠が提供される。
【００２６】
本発明の別の好適実施例において、接続された側壁要素の間の枢動可能な相互接続部は相互に接続された側壁要素にその相互接続縁部に亘って一列の開口を設けることによって、かつ第一の側壁要素の相互接続縁部に亘って複数の開口にらせん状に通された第一のコイル部材と、（相互接続縁部に亘って第一の側壁要素に接続された）第二の側壁要素の相互接続縁部に亘って複数の開口にらせん状に通された第二のコイル部材と、重ねられた前記の第一および第二のコイル部材に通された解除可能なロッキング部材とを設けることによって達成される。従って、開放可能な枢動可能な接続部の場合、一対のコイル部材が２個の隣接する側壁要素のそれぞれの対向する接続縁部の開口に通され、解除可能なロッキング部材が前記の対向した対のコイル部材の重ねられたコイルを通して挿入すればよい。従って、本発明によれば、前述したような多数の区画室を備えた蛇籠であって、隣接する側壁要素の間の少なくとも１個の開放可能な枢動可能接続部が隣接する側壁要素のそれぞれの接続縁部の開口にらせん状に通された一対のコイル部材が存在することによって、およびそれぞれのコイル部材が重ねられるとそれらに通された解除可能なロッキング部材によって提供されるような蛇籠が提供される。
【００２７】
従って、本発明によれば、前述したような多数の区画室を備えた蛇籠であって、少なくとも１個のヒンジ部材がヘリカルコイルからなる蛇籠が提供される。
【００２８】
解除可能なロッキング部材はいずれかの適当な形状あるいはサイズのものでよく、例えば細長いロッキングピンから構成しうる。前記ピンにはロッキングピンを手作業で挿入および（または）取り外しし易くするように一端において把持用突起を設ければよい。前記の把持突起は例えばロッキングピンの一端におけるループから構成される。従って、本発明によれば、前述したような多数の区画室を備えた蛇籠であって、少なくとも１個のロッキング部材が細長いロッキングピンからなるような蛇籠が提供される。
【００２９】
側壁、側壁区画部分、側壁要素および（または）仕切り壁はいずれかの適当な材料、例えば、鋼、アルミニウム、チタニウム、いずれかのその他の適当な金属あるいは合金から、あるいはプラスチック、セラミック、あるいは例えば木材、サイザル麻、ジュート、ココヤシ皮あるいは海草のような天然材料からつくられた１個以上のパネルからなることが好ましい。通常鋼が望ましいが、その場合鋼は蛇籠の展開配備の間鋼の浸食を阻止あるいは抑制するように処理が施されることが好ましい。パネルは閉鎖されたパネルでよく、あるいは網のパネルでよい。閉鎖パネルの場合、必要とされた場合の接続縁部の開口はパネルの縁部において通常機械加工されるか、あるいはその他の方法によって設ければよい。網のパネルの場合、網の目が必要とされる箇所での接続縁部の開口として供しうる。
【００３０】
本発明による多数の区画室を備えた蛇籠は籠構造体から構成されることが好ましい。
【００３１】
また、前記蛇籠は、現場まで搬送するために平たくされた形態を蛇籠が取り得るように工場での状態では相互に接続されていて、現場において側壁と、仕切り壁と、端壁と、並びにそこを通して蛇籠の区画室に充填材料を充填しうる開放した頂部を画成する形態を取るように組み立てることができる枢動可能に相互接続され、好ましくは開口のある網細工のパネルからなることが好ましい。工場での状態においては、前記パネルは側壁と、仕切り壁と、端壁とを画成し、縁部と縁部が枢動可能に相互接続され、現場への搬送のために平たくされた形態においては対面して位置するように相対的に折り畳み可能であり、現場においては側壁、仕切り壁あるいは端壁をそれ以上何ら接続する必要なしに蛇籠を組立て状態に持ってくるように相対的に折りが開かれることが好ましい。
【００３２】
本発明の好適実施例においては、蛇籠の側壁は各々縁部と縁部が枢動可能に接続され、相互に対して手風琴のように折り畳まれる複数の側方パネルからなる。側壁は枢動可能に接続された仕切り壁によって接続されることが好ましく、蛇籠構造体は端壁によって該構造体を引き離すことによって現場において組立てることが可能であり、それが平たくされた形態から組立て状態まで動かされると、側壁は折りが開かれ、前記端壁と仕切り壁とによって充填材料を充填すべき一列の空洞を有する細長い壁構造体を画成し、その各仕切り壁は該仕切り壁に隣接する一対の空洞に対して共通である。
【実施例】
【００３３】
本発明を特に以下の図面を参照してより詳しく説明する。
【００３４】
図１、図２および図３を詳細に参照すれば、多数の区画室を備えた蛇籠１であって、前記の多数の区画室を備えた蛇籠１の個々の区画室７，８，９を側壁２，３と共に画成する複数の仕切り壁４，５，６によって前記蛇籠１の長さに亘って間隔をおいて相互に接続された対向する側壁２，３を含む蛇籠１が示されている。多数の区画室を備えた蛇籠１の個々の区画室１（およびその他の類似の個々の区画室）はそれぞれの対向する側壁２，３の対向する側壁区画部分１０，１１によって限界が画されている。仕切り壁４，５（および同様の仕切り壁）はヒンジ点１２，１２′、１３，１３′において側壁２，３に枢動可能に接続されている。
【００３５】
図１、図２および図３に示す実施例においては、多数の区画室を備えた蛇籠１の各側壁区画部分１０，１１は２個の側壁要素１４，１４′、１５，１５′からなり、開放可能である枢動可能な接続部が隣接する側壁要素１４，１４′の間および隣接する側壁要素１５，１５′の間に設けられている。
【００３６】
仕切り壁４，５（およびその他の仕切り壁）と側壁２，３との間の枢動可能な接続部および隣接する側壁要素１４，１４′、１５，１５′間の枢動可能な接続部とは多数の区画室を備えた蛇籠１が搬送時および収納時に平たく畳むように手風琴のように折り畳むことができるようにする。図１、図２および図３に示す実施例において、手風琴のような折り畳み方は隣接する側壁要素１４，１４′、１５，１５′の間の開放可能であり枢動可能な接続部が多数の区画室を備えた蛇籠１の長手方向軸線に対して内方に動くことによって平たく畳まれた蛇籠の幅が少なくとも仕切り壁４，５，６の幅に対応するように作用することが好ましい。
【００３７】
図２を参照すれば、多数の区画室を備えた蛇籠１はジオテキスタイル裏打ち材２１で裏打ちされた状態で示されている。前記のジオテキスタイル裏打ち材２１は、例えば織製あるいは非織製の合成材料、ガラス繊維、サイザル麻、ジュート、ココアシの皮のようないずれかの適当な材料のものである。図２に示す実施例においては、前記の裏打ち材はデュポン社（Ｄｕｐｏｎｔ）によって販売されている既知のジオテキスタイル材料であり、充填材料に水は通すが、ペースト状の固形粒子はたとえ当該材料に対して強力に押されたとしてもそこを通して押し出されることがないようにつくられている。ジオテキスタイル材料２１は都合よく蛇籠のパネルの最上部の縁部の上で折り曲げ、適所にホッチキス留め（但し、図２にはホッチキス留めは示されていない）することができる。
【００３８】
図３を参照すれば、多数の区画室を備えた蛇籠１は充填材３１が充填された状態で示されている。充填材３１は前述したように、いずれかの適当な入手可能な材料から選択すればよい。粗土や石が図３において充填材として示されている。
【００３９】
図４ａを参照すれば、隣接する区画室の間の枢動可能な接続部が多数の参照数字４１によって指示され、一方隣接する区画室の間の開放可能で枢動可能な接続部が多数の参照数字４２によって指示されている多数の区画室を備えた蛇籠が概略平面図で示されている。また、ロッキングピン４３も図４ａにおいて見られる。部分的に折り畳まれた蛇籠は図４ｂに、一方完全に折り畳まれた蛇籠は図４ｃにおいて示されている。
【００４０】
図５ａを参照すれば、多数の区画室を備えた蛇籠５１の個々の区画室５７，５８，５９を側壁５２，５３と共に画成する複数の仕切り壁５４，５５，５６によって前記蛇籠５１の長さに亘って間隔をおいて相互に接続された対向する側壁５２，５３を含む、多数の区画室を備えた蛇籠５１の第二の形態が概略平面図で示されている。多数の区画室を備えた蛇籠１の個々の区画室５８（およびその他の同様な個々の区画室）はそれぞれの対向する側壁５２，５３の対向する側壁区画部分５１０，５１１によって限界が画されている。仕切り壁５４，５５（および同様の仕切り壁）はヒンジ点５１２，５１２′、５１３，５１３′において側壁５２，５３に枢動可能に接続されている。しかしながら、図１に示す蛇籠とは相違して、各側壁区画部分５１０，５１１は単一の側壁要素５１４，５１５からなり、開放可能で枢動可能な接続部は側壁区画部分と仕切り壁との間の接合部において設けられ、ロッキングピン５４４によって固定されている。図５ｂはロッキングピン５４４が取り外され、側壁要素５１４，５１５が蛇籠の区画室５８を側方から開放するように枢動したときの蛇籠を示している。蛇籠が閉鎖され、かつ部分的に折り畳まれた形態が図５ｃに示されている。図５において、本発明による多数の区画室を備えた蛇籠の代替実施例であって、各側壁区画部分５１０，５１１が単一の側壁要素５１４，５１５からなる実施例が示されている。図５に示す実施例において、（図７および図８において以下示すタイプの）開放可能で枢動可能な接続部が仕切り壁５５（およびその他の同様な仕切り壁）および隣接する側壁要素５１４（およびその他の同様な側壁要素）および側壁要素５１５（およびその他の同様な側壁要素）との間に設けられている。
【００４１】
さて図６を参照すれば、隣接する側壁区画部分１０と１１の間の枢動可能な接続部の詳細斜視図が示されている。図面の便宜上、前記の詳細斜視図からは仕切り壁５が省略されている。しかしながら、仕切り壁５もこの特定の枢動可能な接続部において同様に関与していることが理解される。図６を参照すれば、側壁区画部分１０は四角の開口６２を有する網細工の格子からなる開放した網細工のパネル６１から構成されている。図６には側壁区画部分全体は示されていないが、展開図であれば隣接する側壁区画部分１０および１１の隣接する網細工の枠を明瞭に示す。それらの間の枢動可能な接続部は隣接するパネルの網の開口をらせん状に通されているヘリカルコイル６３によって実行される。図６には示されていないが、前記のヘリカルコイル６３の自由端６４はぐるりと折り曲げるか、あるいはその他の方法で側壁区画部分１０，１１の最上方の網の開口から偶発的に外れないように、かつそのように外れることによって枢動可能な接続部が弱体化しないようにされている。
【００４２】
さて図７を参照すれば、隣接する側壁要素１３，１３′の間の開放可能で枢動可能な接続部が詳細斜視図で示されている。この場合、双方の隣接する網細工のパネルには該網細工のパネルの開口にらせん状に通されたヘリカルコイル部材が設けられている。そのようにして第一のヒンジ部材７１と第二のヒンジ部材７２とが提供される。それらが接続され、かつ解除可能にロックされたものが図８に示されており、ロックは解除可能なロッキングピン８３によって行われる。
【００４３】
最後に図９は蛇籠が収納のために概ね平たく折り畳まれうる態様を示している。隣接する、例えば側壁要素１３の間の枢動可能な接続部９０は前述したように接続部材８３によって接続された一対のコイルばね７１，７２から構成されている。このような配置は側壁要素１３がｄの距離だけ離隔されている枢動軸線９１，９２の周りで枢動することを意味する。前記の距離ｄは側壁１３と何らかの突起（例えば垂直のワイヤ部材９３）との厚さよりも大きくされており、そのため側壁要素１３は相互に対して対面関係で位置することができる。
【図面の簡単な説明】
【００４４】
【図１】本発明による多数の区画室を備えた蛇籠の斜視図を示す。
【図２】ジオテキスタイル材料で裏打ちした図１に示す多数の区画室を備えた蛇籠を示す。
【図３】充填材で充填したときの図２に示す多数の区画室を備えた蛇籠を示す。
【図４ａ】広げたときの形態における図１に示す多数の区画室を備えた蛇籠の概略平面図である。
【図４ｂ】部分的に折り畳んだときの形態における図１に示す多数の区画室を備えた蛇籠の概略平面図である。
【図４ｃ】完全に折り畳んだときの形態における、図１に示す多数の区画室を備えた蛇籠の概略平面図である。
【図５ａ】各側壁区画部分が単一の側壁要素からなる本発明による多数の区画室を備えた蛇籠の第二の形態を示す広げたときの形態における概略平面図である。
【図５ｂ】同１個の区画室を両側から開放している広げたときの形態における概略平面図である。
【図５ｃ】同部分的に折り畳んだときの形態における概略平面図である。
【図６】図１から５までに示す蛇籠の隣接する側壁要素の間の枢動可能な接続部を詳細に示す斜視図である。
【図７】解除可能なロッキング部材が設置される前の図１から５までに示す多数の区画室を備えた蛇籠の隣接する側壁要素の間の開放可能である枢動可能な接続部を詳細に示す斜視図である。
【図８】図７に示す構成要素の間でつくられた開放可能である枢動可能な接続部を詳細に示す斜視図である。
【図９】離隔した枢動軸線を有する枢動可能な接続部を示す概略平面図である。
【図１】
2010508452.tif 000003
【図２】
2010508452.tif 000004
【図３】
2010508452.tif 000005
【図４ａ】
2010508452.tif 000006
【図４ｂ】
2010508452.tif 000007
【図４ｃ】
2010508452.tif 000008
【図５ａ】
2010508452.tif 000009
【図５ｂ】
2010508452.tif 000010
【図５ｃ】
2010508452.tif 000011
【図６】
2010508452.tif 000012
【図７】
2010508452.tif 000013
【図８】
2010508452.tif 000014
【図９】
2010508452.tif 000015
【手続補正書】
【提出日】平成19年5月2日(2007.5.2)
【手続補正１】
【補正対象書類名】特許請求の範囲
【補正対象項目名】全文
【補正方法】変更
【補正の内容】
【特許請求の範囲】
【請求項１】
蛇籠の長さに亘って間隔をおいて複数の仕切り壁によって相互に接続された対向する側壁を含む多数の区画室を備えた蛇籠であって、隣接する対の仕切り壁の間の空間が前記側壁と共に前記の多数の区画室を備えた蛇籠の個々の区画室を画成し、前記多数の区画室を備えた蛇籠の個々の区画室がそれぞれの対向する側壁の対向する側壁区画部分によって境界が画され、前記仕切り壁が前記側壁に枢動可能に接続され、個々の区画室の前記壁区画部分が少なくとも１個の側壁要素からなり、隣接する前記の側壁要素の間に枢動可能な接続部が設けられていて前記の多数の区画室を備えた蛇籠が収納あるいは搬送のために手風琴のように折り畳むことができるようにし、少なくとも２個の隣接する側壁要素の間の枢動可能な接続部が一方あるいは双方の隣接する側壁要素に設けられたヒンジ部材によって、かつ前記ヒンジ部材と協働することによって前記枢動可能な接続部を解除可能に固定する解除可能なロッキング部材によって提供されることによって、前記ロッキング部材を解除すると第一の隣接する側壁要素が第二の隣接する側壁要素から外れ、第一の側壁要素がそれによって対向する隣接の側壁要素との枢動可能な接続部によって第一の隣接する側壁要素によって境界が画される蛇籠の区画室に対して枢動できるようにして前記区画室を前記蛇籠の側壁を通して開放させ、前記区画室内の何らかの内容物に接近できるようにすることを特徴とする多数の区画室を備えた蛇籠。
【請求項２】
接続された壁および（または）壁要素の間の枢動可能な接続部が相互接続された壁および（または）壁要素にその相互接続縁部に沿って一列の開口を設けることにより、かつ前記相互接続された縁部に沿っての複数の開口にらせん状に通されたコイル部材を設けることによって達成されることを特徴とする請求項１に記載の蛇籠。
【請求項３】
２個以上の隣接する壁、壁区画部分および（または）壁要素の接続縁部にある開口に単一のコイル部材がらせん状に通されてそれらの間の枢動可能な相互接続部を達成することを特徴とする請求項２に記載の蛇籠。
【請求項４】
各ヒンジ部材がコイルばねであることを特徴とする請求項２または３に記載の蛇籠。
【請求項５】
前記枢動可能な接続部が前記蛇籠の隣接する壁を複数の枢動軸線の周りで折り畳みできるようにすることを特徴とする請求項１から４までのいずれか１項に記載の蛇籠。
【請求項６】
前記枢動軸線が、前記蛇籠が折り畳まれた形態にあるとき隣接する壁が対面して位置できるように離隔されていることを特徴とする請求項５に記載の蛇籠。
【請求項７】
接続された前記側壁要素間の枢動可能な接続部が解除可能であり、かつ前記接続された側壁要素にその相互接続縁部に沿って一列の開口を設けることによって、かつ第一の側壁要素の相互接続縁部に沿った複数の開口にらせん状に通された第一のコイル部材と、相互接続縁部に沿って前記第一の側壁要素に接続された第二の側壁要素の相互接続縁部に沿った複数の開口にらせん状に通された第二のコイル部材と、重ねられた前記第一と第二のコイル部材に通された解除可能なロッキング部材とを設けることによって達成されることを特徴とする請求項１から６までのいずれか１項に記載の蛇籠。
【請求項８】
各側壁区画部分が単一の側壁要素からなることを特徴とする請求項１から７までのいずれか１項に記載の蛇籠。
【請求項９】
隣接する側壁要素間の解除可能な相互接続部が前記の隣接する側壁区画部分の間に位置していることを特徴とする請求項８に記載の蛇籠。
【請求項１０】
隣接する側壁要素と、対応する側壁区画部分との間の境界を画する仕切り壁との間の解除可能な相互接続部が、第一の隣接する側壁要素が第二の隣接する側壁要素および仕切り壁の双方から解除できるようにするために開放可能であることを特徴とする請求項９に記載の蛇籠。
【請求項１１】
各側壁区画部分が複数の側壁要素からなることを特徴とする請求項１から１０までのいずれか１項に記載の蛇籠。
【請求項１２】
解除可能な相互接続部が所定の側壁区画部分の隣接する側壁要素の間に設けられていることを特徴とする請求項１１に記載の蛇籠。
【請求項１３】
少なくとも複数の隣接する側壁要素の間の解除可能な相互接続部が該側壁要素の間のヒンジ部材と前記ヒンジ部材と協働して前記接続部を解除可能に固定する解除可能なロッキング部材とによって提供されることを特徴とする請求項１から１２までのいずれか１項に記載の蛇籠。
【請求項１４】
各々の隣接する側壁要素の間の解除可能な相互接続部が該側壁要素の間のヒンジ部材と前記ヒンジ部材と協働して前記接続部を解除可能に固定する解除可能なロッキング部材とによって提供されることを特徴とする請求項１３に記載の蛇籠。
【請求項１５】
第一のヒンジ部材が第一の側壁要素に設けられ、第二のヒンジ部材が第二の隣接する側壁要素に設けられていることを特徴とする請求項１３または１４に記載の蛇籠。
【請求項１６】
前記解除可能なロッキング部材が第一と第二のヒンジ部材の双方と協働して前記接続部を解除可能に固定することを特徴とする請求項１５に記載の蛇籠。
【請求項１７】
前記側壁を通して開放可能である少なくとも複数の区画室を含むことを特徴とする請求項１から１６までのいずれか１項に記載の蛇籠。
【請求項１８】
折り畳まれた蛇籠を展開配備現場まで搬送すること、蛇籠の折り畳みを開くこと、および前記蛇籠の個々の区画室に充填材を充填することからなることを特徴とする請求項１から１７までのいずれか１項に記載の蛇籠を展開配備する方法。
【請求項１９】
前記充填材が砂、土、土壌、石、岩石、瓦礫、コンクリート、破片、雪、氷およびそれらの二つ以上を組み合わせたものから選択されることを特徴とする請求項１８に記載の方法。
【請求項２０】
前記蛇籠の開放可能な側壁区画部分の全てを開放すること、前記区画室から充填材を少なくとも部分的に取り出すこと、および前記蛇籠を現場から取り除くことからなる請求項１から１７までのいずれか１項に記載の蛇籠を回収する方法。
【請求項２１】
武器による攻撃あるいは自然力に対する障壁として請求項１から１７までのいずれか１項に記載の蛇籠を使用すること。
【国際調査報告】
2010508452.tif 000016
2010508452.tif 000017
2010508452.tif 000018